【手続補正書】
【提出日】平成17年5月24日(2005.5.24)
【手続補正１】
【補正対象書類名】明細書
【補正対象項目名】発明の名称
【補正方法】変更
【補正の内容】
【発明の名称】電子化証明書を記録した記録媒体、電子化証明書を発行する装置、プログラム、および、電子化証明書を表示する装置、プログラム
【手続補正２】
【補正対象書類名】明細書
【補正対象項目名】特許請求の範囲
【補正方法】変更
【補正の内容】
【特許請求の範囲】
【請求項１】
証明書の内容の一部又は全部を含まない画像データに、
証明書の内容の残る一部又は全部を含むデータを秘密鍵を使って公開鍵暗号方式で暗号化した暗号化データを、
埋め込んだ電子化証明書をコンピュータ読み取り可能な記録媒体に記録した電子化証明書を記録した記録媒体。
【請求項２】
証明書の内容の一部又は全部を含まない画像データに、
証明書の内容の残る一部又は全部を含むデータと、
前記証明書の内容の一部又は全部を含まない画像データ及び前記証明書の内容の残る一部又は全部を含むデータ、又は前記証明書の内容の残る一部又は全部を含むデータ、から生成したデジタル署名と、
を埋め込んだ電子化証明書をコンピュータ読み取り可能な記録媒体に記録した電子化証明書を記録した記録媒体。
【請求項３】
証明書の内容の一部又は全部を含まない画像データを読み出す手段と、
証明書の内容の残る一部又は全部を含むデータを読み出す手段と、
前記証明書の内容の残る一部又は全部を含むデータを秘密鍵を使って公開鍵暗号方式で暗号化して暗号化データを生成する手段と、
前記暗号化データを前記証明書の内容の一部又は全部を含まない画像データに埋め込んで電子化証明書を生成する手段と、
前記電子化証明書を出力する手段と、
を有する電子化証明書を発行する装置。
【請求項４】
証明書の内容の一部又は全部を含まない画像データを読み出す手段と、
証明書の内容の残る一部又は全部を含むデータを読み出す手段と、
前記証明書の内容の一部又は全部を含まない画像データ及び前記証明書の内容の残る一部又は全部を含むデータ、又は前記証明書の内容の残る一部又は全部を含むデータ、からデジタル署名を生成する手段と、
前記デジタル署名と前記証明書の内容の残る一部又は全部を含むデータとを前記証明書の内容の一部又は全部を含まない画像データに埋め込んで電子化証明書を生成する手段と、
前記電子化証明書を出力する手段と、
を有する電子化証明書を発行する装置。
【請求項５】
コンピュータを、
請求項３または請求項４のいずれかに記載の手段として機能させることを特徴とする、
電子化証明書を発行するプログラム。
【請求項６】
電子化証明書を入力する手段と、
前記電子化証明書に埋め込まれた暗号化データを抽出する手段と、
前記暗号化データを公開鍵を使って公開鍵暗号方式で復号化して証明書の内容の残る一部又は全部を含むデータに復元する手段と、
前記電子化証明書及び前記証明書の内容の残る一部又は全部を含むデータを表示する手段と、
を有する電子化証明書を表示する装置。
【請求項７】
電子化証明書を入力する手段と、
前記電子化証明書に埋め込まれた証明書の内容の残る一部又は全部を含むデータとデジタル署名とを抽出する手段と、
前記デジタル署名を検証する手段と、
検証結果が一致した場合に、前記電子化証明書及び前記証明書の内容の残る一部又は全部を含むデータを表示する手段と、
を有する電子化証明書を表示する装置。
【請求項８】
コンピュータを、
請求項６または請求項７のいずれかに記載の手段として機能させることを特徴とする、
電子化証明書を表示するプログラム。
【手続補正３】
【補正対象書類名】明細書
【補正対象項目名】００２４
【補正方法】変更
【補正の内容】
【００２４】
本願発明は、上記従来技術の問題点を解決することを目的とする。より詳細には、一つのファイルで構成され、なぜ信用できるかを、判り易い方法で表現することが可能な、従来の証明書を電子化した電子化証明書を記録した記録媒体、電子化証明書を発行する装置、プログラム、および、電子化証明書を表示する装置、プログラムを提供することを目的とする。
【手続補正４】
【補正対象書類名】明細書
【補正対象項目名】００２６
【補正方法】変更
【補正の内容】
【００２６】
請求項１に記載の発明は、証明書の内容の一部又は全部を含まない画像データに、証明書の内容の残る一部又は全部を含むデータを秘密鍵を使って公開鍵暗号方式で暗号化した暗号化データを、埋め込んだ電子化証明書を記録した記録媒体である。
【手続補正５】
【補正対象書類名】明細書
【補正対象項目名】００２７
【補正方法】変更
【補正の内容】
【００２７】
請求項２に記載の発明は、証明書の内容の一部又は全部を含まない画像データに、証明書の内容の残る一部又は全部を含むデータと、証明書の内容の一部又は全部を含まない画像データ及び証明書の内容の残る一部又は全部を含むデータ、又は証明書の内容の残る一部又は全部を含むデータ、から生成したデジタル署名と、を埋め込んだ電子化証明書を記録した記録媒体である。
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】削除
【補正の内容】
【手続補正８】
【補正対象書類名】明細書
【補正対象項目名】００３０
【補正方法】削除
【補正の内容】
【手続補正９】
【補正対象書類名】明細書
【補正対象項目名】００３１
【補正方法】変更
【補正の内容】
【００３１】
請求項３に記載の発明は、証明書の内容の一部又は全部を含まない画像データを読み出す手段と、証明書の内容の残る一部又は全部を含むデータを読み出す手段と、証明書の内容の残る一部又は全部を含むデータを秘密鍵を使って公開鍵暗号方式で暗号化して暗号化データを生成する手段と、暗号化データを証明書の内容の一部又は全部を含まない画像データに埋め込んで電子化証明書を生成する手段と、電子化証明書を出力する手段と、を有することを特徴とする電子化証明書を発行する装置である。
【手続補正１０】
【補正対象書類名】明細書
【補正対象項目名】００３２
【補正方法】変更
【補正の内容】
【００３２】
請求項４に記載の発明は、証明書の内容の一部又は全部を含まない画像データを読み出す手段と、証明書の内容の残る一部又は全部を含むデータを読み出す手段と、証明書の内容の一部又は全部を含まない画像データ及び証明書の内容の残る一部又は全部を含むデータ、又は証明書の内容の残る一部又は全部を含むデータ、からデジタル署名を生成する手段と、デジタル署名と証明書の内容の残る一部又は全部を含むデータとを証明書の内容の一部又は全部を含まない画像データに埋め込んで電子化証明書を生成する手段と、電子化証明書を出力する手段と、を有することを特徴とする電子化証明書を発行する装置である。
【手続補正１１】
【補正対象書類名】明細書
【補正対象項目名】００３３
【補正方法】変更
【補正の内容】
【００３３】
請求項５に記載の発明は、コンピュータを請求項３または請求項４のいずれかに記載の手段として機能させることを特徴とする電子化証明書を発行するプログラムである。
【手続補正１２】
【補正対象書類名】明細書
【補正対象項目名】００３４
【補正方法】削除
【補正の内容】
【手続補正１３】
【補正対象書類名】明細書
【補正対象項目名】００３５
【補正方法】削除
【補正の内容】
【手続補正１４】
【補正対象書類名】明細書
【補正対象項目名】００３６
【補正方法】変更
【補正の内容】
【００３６】
請求項６に記載の発明は、電子化証明書を入力する手段と、電子化証明書に埋め込まれた暗号化データを抽出する手段と、暗号化データを公開鍵を使って公開鍵暗号方式で復号化して証明書の内容の残る一部又は全部を含むデータに復元する手段と、電子化証明書及び証明書の内容の残る一部又は全部を含むデータを表示する手段と、を有することを特徴とする電子化証明書を表示する装置である。
【手続補正１５】
【補正対象書類名】明細書
【補正対象項目名】００３７
【補正方法】変更
【補正の内容】
【００３７】
請求項７に記載の発明は、電子化証明書を入力する手段と、電子化証明書に埋め込まれた証明書の内容の残る一部又は全部を含むデータとデジタル署名とを抽出する手段と、デジタル署名を検証する手段と、検証結果が一致した場合に、電子化証明書及び証明書の内容の残る一部又は全部を含むデータを表示する手段と、を有することを特徴とする電子化証明書を表示する装置である。
【手続補正１６】
【補正対象書類名】明細書
【補正対象項目名】００３８
【補正方法】変更
【補正の内容】
【００３８】
請求項８に記載の発明は、コンピュータを、請求項６または請求項７のいずれかに記載の手段として機能させることを特徴とする、電子化証明書を表示するプログラムである。
【手続補正１７】
【補正対象書類名】明細書
【補正対象項目名】０２２５
【補正方法】変更
【補正の内容】
【０２２５】
以上説明したように本願発明の電子化証明書を記録した記録媒体、電子化証明書を発行する装置、プログラム、および、電子化証明書を表示する装置、プログラムは、従来の技術を用いて証明書を電子化したときに比べて以下の効果を奏する。